(57)【要約】    【課題】裏部材の突出部の近傍にその突出部に対して鋭角方向に配置された基板を簡単な構造で容易且つ確実に固定できるようにする。    【解決手段】遊技盤装着枠３０と、左右方向の一端の支点位置Ｐ廻りに回動させながら遊技盤装着枠３０に対して着脱自在に装着される遊技盤６とを備え、遊技盤６の裏側の裏部材３５ｂの支点位置Ｐと反対側に、その支点位置Ｐ側を略通る方向に配置された傾斜部８２を備え、この傾斜部８２の裏面に、遊技盤６の着脱時に枠側ジョイント部７５と電気的に接続・切断される盤側ジョイント部７３を備え、突出部８１に近い側にコネクタ７６ａ〜７６ｄが装着された基板８３ａ〜８３ｃと、コネクタ７６ａ〜７６ｄ及びコネクタ７６ａ〜７６ｄに接続されたハーネス７７ａ〜７７ｄを突出部８１との間で覆うコネクタカバー８４とを備え、コネクタカバー８４が基板８３ａ〜８３ｃを裏部材３５ｂの裏面に押え付ける基板押えを兼用する。【選択図】図４
2010268836.tif 000002
【特許請求の範囲】
【請求項１】
支持部材（６）の裏側に装着された裏部材（３５ｂ）に、後方に突出する突出部（８１）と、該突出部（８１）の近傍に鋭角状に配置され且つ前記突出部（８１）に近い側にコネクタ（７６ａ〜７６ｄ）が装着された基板（８３ａ〜８３ｃ）と、前記コネクタ（７６ａ〜７６ｄ）及び前記コネクタ（７６ａ〜７６ｄ）に接続されたハーネス（７７ａ〜７７ｄ）を前記突出部（８１）との間で覆うコネクタカバー（８４）とを備えた弾球遊技機において、前記コネクタカバー（８４）は前記基板（８３ａ〜８３ｃ）を前記裏部材（３５ｂ）の裏面に押え付ける基板押えを兼用することを特徴とする弾球遊技機。
【請求項２】
遊技盤装着枠（３０）と、左右方向の一端の支点位置（Ｐ）廻りに回動させながら前記遊技盤装着枠（３０）に対して着脱自在に装着された前記支持部材としての遊技盤（６）とを備え、前記遊技盤（６）の裏側の前記裏部材（３５ｂ）の前記支点位置（Ｐ）と反対側に前記支点位置（Ｐ）側を略通る直線状に配置された傾斜部（８２）を備え、該傾斜部（８２）の裏面に、前記遊技盤（６）を前記遊技盤装着枠（３０）に着脱するときに前記基板（８３ａ〜８３ｃ）の盤側コネクタ（７２ａ〜７２ｄ）を介して前記遊技盤装着枠（３０）の枠側ジョイント部（７５）に電気的に接続・切断される盤側ジョイント部（７３）を備え、前記基板（８３ａ〜８３ｃ）は前記コネクタカバー（８４）に対して前記突出部（８１）と反対側に前記盤側コネクタ（７２ａ〜７２ｄ）を備えていることを特徴とする請求項１に記載の弾球遊技機。
【請求項３】
前記コネクタカバー（８４）は後部側が前記突出部（８１）との間に所定の間隙を置いて前記突出部（８１）側に傾斜又は湾曲する形状であって、前記コネクタカバー（８４）の前記突出部（８１）側に、前記間隙の前側に対応して取り付け部（９２）を有し、前記突出部（８１）近傍の前記傾斜部（８２）に前記取り付け部（９２）を裏側から固定具（９４）で固定するための固定部（９３）を備えたことを特徴とする請求項２に記載の弾球遊技機。
【請求項４】
前記取り付け部（９２）は中心が前記間隙を通る方向の有底筒状であり、前記固定部（９３）は前記取り付け部（９２）が裏側から着脱自在に嵌合する前後方向の突起状であることを特徴とする請求項３に記載の弾球遊技機。
【請求項５】
前記コネクタカバー（８４）は、前記遊技盤（６）を着脱するときに前記枠側ジョイント部（７５）と干渉しないように後部側が前記突出部（８１）側に傾斜していることを特徴とする請求項３又は４に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機は、外枠に開閉自在に枢着された前枠に遊技盤装着枠が設けられ、この遊技盤装着枠に前側から遊技盤が着脱自在に装着されている。遊技盤には前面の遊技領域に入賞手段その他の遊技部品が、裏側に遊技部品等の遊技動作を制御する主制御基板及び演出制御基板が夫々装着されている。また前枠側には電源基板、発射制御基板、払い出し制御基板が装着されている。
【０００３】
この種の弾球遊技機において、遊技盤を遊技盤装着枠に着脱するときに盤側コネクタと枠側コネクタとが嵌脱するようにしたものがある（特許文献１）。即ち、遊技盤は前枠の遊技盤装着枠に前側から着脱自在であり、この遊技盤の裏側に装着された集球ケースの一側下部に遊技盤と略平行に盤側ジョイント部が設けられ、この盤側ジョイント部に基板を介して複数の盤側コネクタが後向きに装着されている。一方、遊技盤装着枠の裏側には、盤側ジョイント部に対応して略平行に枠側ジョイント部が設けられ、この枠側ジョイント部に上下、左右に遊動自在な複数の枠側コネクタが前向きに装着されている。
【０００４】
そして、遊技盤を装着する場合には、遊技盤の左側端部を遊技盤装着枠に挿入した後、この左側を中心に遊技盤を回動させながら遊技盤装着枠内へと押し込む。すると遊技盤が遊技盤装着枠に嵌合する最終段階で盤側コネクタと枠側コネクタとが前後に相対向し、盤側コネクタに合わせて枠側コネクタが追従しながら、両コネクタの嵌合部が前後方向に嵌合して接続する。遊技盤を遊技盤装着枠から取り外す場合には、逆に回動させながら遊技盤の右端側から取り出して行く。
【先行技術文献】
【特許文献】
【０００５】
【特許文献１】特開２００９−５８０５号公報
【発明の概要】
【発明が解決しようとする課題】
【０００６】
このようにすれば、遊技盤を前枠の遊技盤装着枠に対して着脱する都度、遊技盤側と前枠側との電気系統を一括して電気的に接続できるため、各信号系統毎にコネクタを着脱する場合に比較して全電気系統を容易に接続でき、遊技盤を前枠に対して着脱する際の利便性が著しく向上する利点がある。
【０００７】
ただ従来の構造では、両コネクタが接続する際に遊技盤の前面側の左端縁が遊技盤装着枠の側板の内面に接触して、その左側縁を支点として遊技盤が回動するにも拘わらず、盤側コネクタ、枠側コネクタが遊技盤と略平行であり、しかも盤側コネクタと枠側コネクタとの嵌脱部が遊技盤の前面から後方に大きく離れているため、両コネクタが遊技盤の回動時の接線方向に着脱する構造にはなっておらず、遊技盤の着脱時、取り分け遊技盤の装着時に対応するコネクタ同士が干渉して接続できないという問題がある。
【０００８】
そこで、両コネクタの接続時に支点位置廻りに回動する遊技盤の略接線方向に向けて盤側コネクタ、枠側コネクタを配置し、両コネクタが遊技盤の略接線方向に着脱するように構成することが考えられている。この場合、盤側ジョイント部は集球ケースの突出部の一側下部に、その側壁に対して鋭角状に傾斜する傾斜段部を設け、この傾斜段部の裏側に中継基板を配置し、この中継基板の突出部と近い側に中継コネクタを、遠い側に盤側コネクタを夫々配置し、また中継コネクタ及びこれに接続されたハーネスをコネクタカバーで覆うことになる。
【０００９】
中継基板は通常、その左右両端側でネジにより固定する。しかし、傾斜段部が側壁に対して鋭角状に傾斜する構造の場合に、その傾斜段部の側壁の近傍という限られたスペースに中継基板用の固定部を設け、更にその周辺近傍にコネクタカバーの固定部を設けることになり構造的に非常に複雑になる。従って、スペース等の制約から、中継基板の突出部側の端部を傾斜段部にネジで固定することは困難である。
【００１０】
本発明は、このような従来の問題点に鑑み、裏部材の突出部の近傍にその突出部に対して鋭角方向に配置された基板を簡単な構造で容易且つ確実に固定できる弾球遊技機を提供することを目的とする。
【課題を解決するための手段】
【００１１】
本発明は、支持部材６の裏側に装着された裏部材３５ｂに、後方に突出する突出部８１と、該突出部８１の近傍に鋭角状に配置され且つ前記突出部８１に近い側にコネクタ７６ａ〜７６ｄが装着された基板８３ａ〜８３ｃと、前記コネクタ７６ａ〜７６ｄ及び前記コネクタ７６ａ〜７６ｄに接続されたハーネス７７ａ〜７７ｄを前記突出部８１との間で覆うコネクタカバー８４とを備えた弾球遊技機において、前記コネクタカバー８４は前記基板８３ａ〜８３ｃを前記裏部材３５ｂの裏面に押え付ける基板押えを兼用するものである。
【発明の効果】
【００１２】
本発明によれば、コネクタカバー８４は基板８３ａ〜８３ｃを裏部材３５ｂの裏面に押え付ける基板押えを兼用するので、裏部材３５ｂの突出部８１の近傍にその突出部８１に対して鋭角方向に配置された基板８３ａ〜８３を簡単な構造で容易且つ確実に固定できる利点がある。
【図面の簡単な説明】
【００１３】
【図１】本発明の第１の実施形態を示すパチンコ機の斜視図である。
【図２】同パチンコ機の前枠、遊技盤の正面図である。
【図３】同パチンコ機の背面図である。
【図４】同パチンコ機の平面断面図である。
【図５】同前枠の右半分の斜視図である。
【図６】同前枠の全体の斜視図である。
【図７】同遊技盤の背面図である。
【図８】同接続関係を示すブロック図である。
【図９】同盤側ジョイント部の背面断面図である。
【図１０】同盤側ジョイント部の平面断面図である。
【図１１】同盤側ジョイント部の側面断面図である。
【図１２】同盤側ジョイント部の斜視図である。
【図１３】同盤側ジョイント部の分解斜視図である。
【図１４】同コネクタカバーの斜視図である。
【図１５】同枠側ジョイント部の正面図である。
【図１６】同枠側ジョイント部の側面断面図である。
【図１７】同図１５のＸ−Ｘ線断面図である。
【図１８】同図１５のＹ−Ｙ線断面図である。
【図１９】同装着時の動作説明図である。
【図２０】本発明の第２の実施形態を示す盤側ジョイント部の平面断面図である。
【図２１】同基板取り付け部側の斜視図である。
【図２２】本発明の第３の実施形態を示す盤側ジョイント部の平面断面図である。
【図２３】本発明の第４の実施形態を示す盤側コネクタと枠側コネクタとの平面断面図である。
【図２４】本発明の第５の実施形態を示す説明図である。
【発明を実施するための形態】
【００１４】
以下、本発明の実施形態を図面に基づいて詳述する。図１〜図１９は本発明をパチンコ機に採用した第１の実施形態を例示している。図１において、１は遊技機本体で、矩形状の外枠２と、この外枠２の前側に開閉自在に枢着された前枠３とを備えている。
【００１５】
前枠３は例えば合成樹脂製で、図２、図４〜図６等に示すように、外枠２の前面側に当接する矩形状の枠部４と、この枠部４の内側下部に配置される下部装着部３ａと、枠部４の内側上部に配置される上部装着部３ｂとを一体に備え、下部装着部３ａに発射手段５等が、上部装着部３ｂに遊技盤６等が夫々配置されている。枠部４は上下一対の横枠部４ａ，４ｂと、左右一対の縦枠部４ｃ，４ｄとで構成されており、前枠３はその左右一端側、例えば左縦枠部４ｃ側に設けられた上下方向のヒンジ７により外枠２に着脱、開閉自在に枢支されている。
【００１６】
前枠３の前側には、下部装着部３ａに対応する前面開閉板９と、上部装着部３ｂに対応するガラス扉１０とがヒンジ７と同じ側のヒンジ１１により開閉自在に枢支されている。前面開閉板９にはその前側に発射手段５に供給するための遊技球を貯留する供給皿１２、発射手段５を作動させるための発射ハンドル１３等が設けられている。
【００１７】
ガラス扉１０は、図１、図４等に示すように、遊技盤６の遊技領域６ａを透視可能なガラス窓１４の窓孔を有する例えば板金製の扉枠１５と、この扉枠１５の前側に装着された合成樹脂製の化粧カバー１６と、扉枠１５の裏側に装着されたガラスユニット１７とを備え、前枠３側に閉じたとき、扉枠１５の外縁側が上横枠部４ａ及び左右の縦枠部４ｃ，４ｄの前側に略当接すると共に、ガラスユニット１７がその内側に嵌合するようになっている。ガラスユニット１７は、前後二枚のガラス板１８と、この二枚のガラス板１８を外周で保持する合成樹脂製の保持枠１９とで構成されており、扉枠１５の裏側に設けられた締結摘まみ２０により扉枠１５に着脱自在に装着されている。
【００１８】
下部装着部３ａは、下横枠部４ｂの上側に沿って横長状に形成されており、図２に示すようにその前側の例えば左右方向略中央に発射手段５が配置され、前面開閉板９側の供給皿１２から発射手段５に発射用の遊技球が供給されるようになっている。発射手段５は、板金製の支持板２１と、この支持板２１の前面に装着された発射レール２２と、支持板２１の前面で前後方向の駆動軸廻りに揺動自在に支持された打撃槌２３と、支持板２１の裏側に装着され且つ打撃槌２３を打撃方向に駆動するロータリソレノイド等の発射駆動手段２４等を備え、発射ハンドル１３が操作されたときに発射駆動手段２４により打撃槌２３を打撃方向（時計廻り）に間欠的に駆動することにより、供給皿１２から発射レール２２上に供給された遊技球を発射レール２２に沿って打撃して遊技盤６側に発射させるようになっている。
【００１９】
発射手段５の左側には、後述の払い出し手段６３（図３参照）から払い出された遊技球を前面開閉板９側の供給皿１２に排出するための払い出し口２５等が、右側には下部スピーカ２６等が夫々配置されている。下部スピーカ２６はスピーカユニット２７と、このスピーカユニット２７を収容するスピーカボックス２８とで構成されており、下部装着部３ａに後ろ向きの凹入状に形成された収容部２９（図５、図６参照）内に着脱自在に装着されている。
【００２０】
上部装着部３ｂは、図４〜図６に示すように枠部４の内側で且つ下部装着部３ａの上側に配置され、外枠２の内側に嵌合可能な後ろ向き膨出状に形成されており、その前部に遊技盤６を装着可能な遊技盤装着枠３０が設けられている。上部装着部３ｂにおける遊技盤装着枠３０よりも後側が遊技盤６の後部側を略覆う後部ケース３１となっており、その上部の左右両端側には一対の上部スピーカ３２が着脱自在に装着されている。
【００２１】
遊技盤６はベニヤ板等により略矩形状に形成されており、図２に示すように、その前面側には発射手段５により発射された遊技球を遊技領域６ａの上部側に案内する外レール（ガイドレール）３３ａと、遊技領域６ａの周囲を規定する周壁の少なくとも一部を構成する内レール（ガイドレール）３３ｂとが立設されると共に、遊技領域６ａ内には略中央に画像表示手段を備えたセンターケース３４ａの他、通過ゲート３４ｂ、開閉式入賞手段３４ｃ、大入賞手段３４ｄ、普通入賞手段３４ｅ等の各種遊技部品が装着されている。
【００２２】
外レール３３ａ及び内レール３３ｂはガイドレールを構成するもので、外レール３３ａは遊技盤６の下部側の左右方向略中央位置又はそれよりも若干左寄りの位置から遊技盤６の左端側及び上端側を経て右上部側まで略円弧状に配置され、内レール３３ｂは遊技盤６の左上方から下部側の左右方向略中央まで外レール３３ａに並行するようにその内側に配設され、更にそのまま遊技盤６の右縁部近傍まで略円弧状に延設されている。また遊技盤６の右端部には、外レール３３ａと内レール３３ｂの端部間を連結する略円弧状の連結レール部４０ａを備えた例えば合成樹脂製の装飾部材４０が配置されている。
【００２３】
遊技盤６の裏面側には、図４、図７に示すように、センターケース３４ａ等の遊技部品を後側から覆う裏カバー３５が装着され、この裏カバー３５の背面側に主制御基板３６ａが格納された主基板ケース３６、演出制御基板３７ａが格納された演出基板ケース３７、液晶制御基板３８ａが格納された液晶基板ケース３８等が着脱自在に装着されている。
【００２４】
裏カバー３５は、上部側の上部カバー３５ａと下部側の集球ケース３５ｂとで構成されており、これら上部カバー３５ａと集球ケース３５ｂは遊技盤６の裏面に個別に装着されている。集球ケース３５ｂは下部側に排出口３９を備え、大入賞手段３４ｄ等に入賞して遊技盤６の裏側に案内された遊技球を排出口３９側に誘導して下向きに排出するように構成されている。なお、演出基板ケース３７、液晶基板ケース３８は上部カバー３５ａの裏側に装着され、主基板ケース３６は集球ケース３５ｂの裏側に装着されている。
【００２５】
遊技盤装着枠３０は、図２、図４〜図６等に示すように、上横枠部４ａの内周側に設けられる上支持枠４１、下部装着部３ａの上縁側に設けられる下支持枠４２、左縦枠部４ｃの内周側に設けられる左支持枠４３、右縦枠部４ｄの内周側に設けられる右支持枠４４により、遊技盤６を前側から着脱できるように前面側が開放された矩形状に形成されている。上下左右の支持枠４１〜４４は、夫々遊技盤６をその上下左右の縁部において支持するもので、遊技盤６の外周面に沿って配置される周壁部４１ａ〜４４ａと、遊技盤６の背面に沿って配置される後壁部４１ｂ〜４４ｂとを夫々備えている。
【００２６】
また支持枠４１〜４４のうちの一つ、例えば左支持枠４３側には、例えば周壁部４３ａから遊技盤６の前面側に沿って突設される前係合部４３ｃと、例えば後壁部４３ｂ上又はその内周側に配置され且つ遊技盤６の端部（左端部）を前側の前係合部４３ｃ側に付勢する板ばね等よりなる付勢手段４３ｄとが設けられており、遊技盤６の左縁部をその外周面側及び前後両面側の三方から挟み込み、付勢手段４３ｄにより前側、即ち前係合部４３ｃ側に押圧して支持するようになっている。
【００２７】
遊技盤装着枠３０には、遊技盤装着枠３０に前側から装着された遊技盤６を解除可能に固定する複数、例えば上下２つのロック手段４５ａ，４５ｂが前係合部４３ｃとは反対の端部側に対応して設けられており、このロック手段４５ａ，４５ｂにより遊技盤装着枠３０内で遊技盤６を基準位置Ｏ（図２参照）側へと押圧して固定するようになっている。なお、ロック手段４５ａ，４５ｂと押圧手段とを別々に設け、押圧手段により遊技盤装着枠３０内で遊技盤６を基準位置Ｏ側へと押圧するようにしてもよい。
【００２８】
例えば、図２、図５に示すように、周壁部４１ａ，４４ａの内周面に前後方向の案内リブ４１ｃ，４４ｃを複数個設け、遊技盤装着枠３０内に遊技盤６を嵌合する際に、その各案内リブ４１ｃ，４４ｃにより遊技盤６を基準位置Ｏ側へと案内すようにしてもよい。
【００２９】
基準位置Ｏは、発射手段５から発射された遊技球が遊技盤６の外レール３３ａ側へと入る始端側、即ち遊技盤装着枠３０の４つの隅部のうち、下部側で且つ前係合部４３ｃ側の隅部に設定されている。
【００３０】
従って、遊技盤６を遊技盤装着枠３０に装着する場合には、図２に示すように基準位置Ｏを基準にして遊技盤６の左縁部を遊技盤装着枠３０内に挿入した後、遊技盤６の左縁部を前係合部４３ｃに係合させて、その係合部分を支点位置Ｐ（図４参照）として回動させながら遊技盤６の右側を遊技盤装着枠３０内へと後方に押し込み、また遊技盤６を取り外す場合には、逆に支点位置Ｐ廻りに右側から遊技盤６を前側へと取り出すことになる。
【００３１】
後部ケース３１は、図４〜図６等に示すように、遊技盤６の裏側の裏カバー３５の外周面に沿って配置される上下左右の周壁部５０〜５３で構成され、その周壁部５０〜５３の後端に裏カバー３５の背面に沿って後壁部５４が設けられている。後壁部５４には、その略中央に遊技盤６の裏側の基板ケース３６〜３８等が嵌合する開口部５５が設けられると共に、この開口部５５を後側から開閉可能に覆う開閉カバー５６（図３参照）が着脱自在に装着されている。
【００３２】
後部ケース３１の下周壁部５１には、図６に示すように、集球ケース３５ｂの排出口３９に対応する切り欠き部５７と、遊技盤６の下部のアウト口５８（図２参照）から遊技盤６の裏側に案内された遊技球を切り欠き部５７側に誘導する傾斜案内部５９とが設けられている。
【００３３】
後部ケース３１の背面側には、図３に示すように、開口部５５の上側に遊技球タンク６０とタンクレール６１とを備えた遊技球タンクユニット６２が着脱自在に装着され、また開口部５５の左右一側に払い出し手段６３と払い出し通路６４とを備えた払い出しユニット６５が着脱自在に装着されており、遊技球が大入賞手段３４ｄ等の入賞口に入賞したとき、又は図外の自動球貸し機から球貸し指令があったときに、遊技球タンク６０内の遊技球をタンクレール６１を経て払い出し手段６３により払い出し、その遊技球を払い出し通路６４、払い出し口２５を経て供給皿１２に案内するようになっている。
【００３４】
また後部ケース３１の下側で且つ下部装着部３ａの背面側には、図３に示すように、基板装着台６６が着脱自在に装着されており、この基板装着台６６の背面側に、例えば電源基板６７が格納された電源基板ケース６８と、払い出し制御基板６９が格納された払い出し基板ケース７０とが着脱自在に装着されている。
【００３５】
遊技盤６の裏側には図４、図７に示すように盤側コネクタ７２ａ〜７２ｄを有する盤側ジョイント部７３が、前枠３の裏側には図４、図５に示すように、枠側コネクタ７４ａ〜７４ｄを有する枠側ジョイント部７５が夫々前後に対応して設けられており、遊技盤６を前枠３に対して着脱するときに、盤側ジョイント部７３の盤側コネクタ７２ａ〜７２ｄと枠側ジョイント部７５の枠側コネクタ７４ａ〜７４ｄとが着脱して、遊技盤装着枠３０に遊技盤６を装着したときに前枠３側と遊技盤６側との電気系統を一括して接続・切断するようになっている。
【００３６】
盤側コネクタ７２ａ〜７２ｄと枠側コネクタ７４ａ〜７４ｄは電気系統の対象別に複数あり、例えば図８に示すように接続されている。即ち、盤側コネクタ７２ａは中継コネクタ７６ａ、ハーネス７７ａを介して主制御基板３６ａの信号出力部に接続され、盤側コネクタ７２ｂは中継コネクタ７６ｂ、ハーネス７７ｂを介して主制御基板３６ａの電源部に接続され、盤側コネクタ７２ｃは中継コネクタ７６ｃ、ハーネス７７ｃを介して演出制御基板３７ａの演出信号出力部に接続され、盤側コネクタ７２ｄは中継コネクタ７６ｄ、ハーネス７７ｄを介して演出制御基板３７ａ、液晶制御基板３８ａの電源部に接続されている。
【００３７】
また枠側コネクタ７４ａはハーネス７８ａを介して払い出し制御基板６９に接続され、枠側コネクタ７４ｂはハーネス７８ｂを介して電源基板６７に接続され、枠側コネクタ７４ｃはハーネス７８ｃを介して、ガラス扉１０の前面側の装飾ランプ（図示省略）を制御する装飾制御基板７９に接続され、枠側コネクタ７４ｄはハーネス７８ｄを介して電源基板６７に接続されている。
【００３８】
この盤側コネクタ７２ａ〜７２ｄ、枠側コネクタ７４ａ〜７４ｄが装着された盤側ジョイント部７３と枠側ジョイント部７５は、図４に示すように、遊技盤６の着脱時の支点位置Ｐと反対側の端部で遊技盤６及び遊技盤装着枠３０に前後に相対応して装着されると共に、その支点位置Ｐと反対側が後方となり支点位置Ｐに近い側が前方となるように傾斜状に配置されている。そして、支点位置Ｐ廻りに回動させながら遊技盤６を遊技盤装着枠３０に対して着脱するときに、盤側コネクタ７２ａ〜７２ｄと枠側コネクタ７４ａ〜７４ｄとが、その支点位置Ｐを中心とする円の略接線方向に着脱するようになっている。
【００３９】
盤側ジョイント部７３は、図４、図９〜図１４等に示すように、遊技盤６の裏部材である集球ケース３５ｂの突出部８１の一側下部に形成された傾斜部８２の裏面側に配置されている。
【００４０】
即ち、集球ケース３５ｂは、図４、図９〜図１１に示すように、後方へと突出する突出部８１と、この突出部８１の一側下部で遊技盤６の下隅の近傍に配置され且つ突出部８１よりも低く遊技盤６側に接近して段状に形成された傾斜部８２とを有し、その傾斜部８２の裏側に、盤側コネクタ７２ａ〜７２ｄ、中継基板８３ａ〜８３ｃ、コネクタカバー８４等を有する盤側ジョイント部７３が配置されている。
【００４１】
傾斜部８２とその裏面に装着された中継基板８３ａ〜８３ｃは図４に示すように前後に近接しており、傾斜部８２又は中継基板８３ａ〜８３ｃの一方が遊技盤６の前面左縁部、即ち支点位置Ｐ又はその近傍を通る直線上に配置され、他方がそれに近接して略平行に配置されている。従って、傾斜部８２は支点位置Ｐから遠い外側が遊技盤６から後方に離れ、近い内側が遊技盤６側に接近するように傾斜状に設けられており、この傾斜部８２の左側に突出部８１の側壁８１ａが、上側に突出部８１の下壁８１ｂが夫々近接している。
【００４２】
各盤側コネクタ７２ａ〜７２ｄは、図４、図９〜図１１に示すように、その長手方向を左右にして上下方向に配置され、中継基板８３ａ〜８３ｃの裏面に固定されている。盤側コネクタ７２ａ〜７２ｄは嵌合凹部８５ａと、この嵌合凹部８５ａ内に設けられた多数のピン群８５ｂとを有する。嵌合凹部８５ａの開口端側の内周には、遊技盤６の装着時に枠側コネクタ７４ａ〜７４ｄを嵌合凹部８５ａ内へと案内する案内部８５ｃが傾斜状に形成されている。
【００４３】
各中継基板８３ａ〜８３ｃは左右方向に長く構成されており、その突出部８１から遠い側に盤側コネクタ７２ａ〜７２ｄが、近い側に中継コネクタ７６ａ〜７６ｄが夫々装着されている。そして、各中継基板８３ａ〜８３ｃは傾斜部８２の裏面に区画して形成された各基板取り付け部８６に裏側から嵌合され、その内周側に設けられた受け部８７に裏側から当接した状態でネジ８８とコネクタカバー８４とにより傾斜部８２に着脱自在に固定されている。各中継コネクタ７６ａ〜７６ｄにはハーネス７７ａ〜７７ｄが着脱自在に接続されている。
【００４４】
主制御基板３６ａの信号出力用の盤側コネクタ７２ａと電源用の盤側コネクタ７２ｂは中継基板８３ａに設けられており、演出制御基板３７ａの演出信号出力用の盤側コネクタ７２ｃと、演出制御基板３７ａ及び液晶制御基板３８ａの電源用の盤側コネクタ７２ｄは共通の中継基板８３ｂ，８３ｃに設けられている。各基板取り付け部８６は中継基板８３ａ〜８３ｃに対応して区画され、その各基板取り付け部８６には内周側に所定の間隔をおいて受け部８７が設けられている。
【００４５】
各中継基板８３ａ〜８３ｃはコネクタカバー８４と反対側の端部で傾斜部８２の固定部８８ａに螺合するネジ８８により固定されているが、突出部８１の側壁８１ａ側ではコネクタカバー８４により固定されている。
【００４６】
コネクタカバー８４は、図１０に示すように、中継コネクタ７６ａ〜７６ｄ及びハーネス７７ａ〜７７ｄを覆うためのものであり、同時に各中継基板８３ａ〜８３ｃを傾斜部８２側に押える基板押えを兼用している。このコネクタカバー８４は、図１２〜図１４に示すように、盤側コネクタ７２ａ〜７２ｄと中継コネクタ７６ａ〜７６ｄとの間で各中継基板８３ａ〜８３ｃに跨がって配置され且つ中継基板８３ａ〜８３ｃ側から後方に突出する覆い部９０と、この覆い部９０の側壁８１ａ側に一体に形成され且つ各中継コネクタ７６ａ〜７６ｄ毎に上下に仕切る前後方向の複数の仕切り壁９１と、上下両端の仕切り壁９１を除く中間の仕切り壁９１に形成された取り付け部９２とを有し、その取り付け部９２が側壁８１ａの近傍で傾斜部８２から後方に突出する固定部９３に後側からネジ９４により着脱自在に固定されている。
【００４７】
覆い部９０は、図１０に示すように、中継コネクタ７６ａ〜７６ｄの後方近傍に段部９０ａを有し、その段部９０ａから前側の前部９０ｂが中継基板８３ａ〜８３ｃに略直角であり、段部９０ａから後側の後部９０ｃが側壁８１ａ側に傾斜している。このためコネクタカバー８４は、その後部９０ｃが側壁８１ａ側に傾斜することにより、中継コネクタ７６ａ〜７６ｄを覆いハーネス７７ａ〜７７ｄが盤側コネクタ７２ａ〜７２ｄの後方側へと食み出さないように突出部８１側へと押え付けると共に、支点位置Ｐ廻りに回動させながら遊技盤６を着脱するときに枠側ジョイント部７５側と干渉しないようになっている。
【００４８】
また覆い部９０の後端は突出部８１の側壁８１ａとの間に所定の間隙をおいて配置されている。下端の仕切り壁９１を除く各仕切り壁９１の側壁８１ａ側の端縁は、覆い部９０の後端から中継コネクタ７６ａ〜７６ｄの後側近傍までの間が遊技盤６に対して略垂直になっており、各中継コネクタ７６ａ〜７６ｄに対するハーネス７７ａ〜７７ｄの接続を容易にできるように、覆い部９０の後端から側壁８１ａ側に突出しない形状となっている。なお、下端の仕切り壁９１は、ハーネス７７ａ〜７７ｄが下側へと垂れ下がらないように集球ケース３５ｂの突出部８１に近接してその下側へと延びている。
【００４９】
取り付け部９２は、図９、図１０に示すように、遊技盤６に対して略垂直な有底状の嵌合筒部９２ａにより構成されている。嵌合筒部９２ａは上下両側を除く中間の複数の仕切り壁９１の前端部に側壁８１ａ側へと一体に突出して形成されており、その中心が突出部８１とコネクタカバー８４の後端との間隙の中間を通るように遊技盤６に対して略垂直に設けられている。固定部９３は突出部８１の側壁８１ａの近傍で傾斜部８２から後方に突出する円柱の突起状であり、この固定部９３に嵌合筒部９２ａが裏側から着脱自在に套嵌されている。
【００５０】
なお、取り付け部９２を設けるに当たっては、中間の複数の仕切り壁９１うち、その一部である複数仕切り壁９１に設けてもよく、上下両側を除く中間の仕切り壁９１の全てに設ける必要はない。
【００５１】
固定部９３は遊技盤６に対して略垂直であり、突出部８１の側壁８１ａに近接して設けられ、前後方向の連結リブ９３ａにより側壁８１ａと一体になっている。嵌合筒部９２ａには連結リブ９３ａに対応して偏平部にスリット９２ｂが設けられている。突出部８１と覆い部９０との後端間には所定の間隔があり、取り付け部９２の後方側はドライバ等によりネジ９４を容易に操作できるように開放状になっている。なお、コネクタカバー８４の前端は各中継基板８３ａ〜８３ｃに当接している。
【００５２】
枠側ジョイント部７５は、図４、図５、図１５〜図１８に示すように、各盤側コネクタ７２ａ〜７２ｄに対応して取り付け板９７に装着された枠側コネクタ７４ａ〜７４ｄを有し、遊技盤６を遊技盤装着枠３０に装着したときに盤側ジョイント部７３と前後に相対応して中継基板８３ａ〜８３ｃと略平行となるように配置されている。即ち、遊技盤装着枠３０の後側の後部ケース３１には、枠側ジョイント部７５の取り付け台９８が設けられ、この取り付け台９８の前面に形成された複数箇所の取り付けボス９９にネジ１００等を介して取り付け板９７が着脱自在に固定されている。
【００５３】
取り付け台９８は、図４、図５、図１５〜図１８に示すように、後部ケース３１の下部周壁部５１及び右周壁部５３側の二辺に跨がって一体に形成され且つ枠側ジョイント部７５を裏側から覆う矩形状の後壁部９８ａを有し、この後壁部９８ａが下部周壁部５１、右周壁部５３と、他の二辺から前側へと屈曲する屈曲壁９８ｂ，９８ｃとにより取り囲まれている。後壁部９８ａの前面側の周縁側に複数の取り付けボス９９が設けられている。
【００５４】
取り付け板９７には、図１６、図１８に示すように、底部が中継基板８３ａ〜８３ｃと略平行に傾斜する４個の傾斜凹部１０１が凹入状に形成され、この各傾斜凹部１０１の底部の前面にはその開口１０１ａに一部が嵌合するように、各盤側コネクタ７２ａ〜７２ｄに対応する枠側コネクタ７４ａ〜７４ｄが取り付けられている。
【００５５】
枠側コネクタ７４ａ〜７４ｄは、図１５〜図１８に示すように、盤側コネクタ７２ａ〜７２ｄの嵌合凹部８５ａ内に嵌合可能な嵌合突部１０２ａと、この嵌合突部１０２ａ内に設けられた多数のピン孔群１０２ｂと、左右一対の取り付け突部１０２ｃと、ピン孔群１０２ｂと取り付け突部１０２ｃとの間に設けられ且つ盤側コネクタ７２ａ〜７２ｄの案内部８５ｃとの間で嵌合突部１０２ａを嵌合凹部８５ａへと案内する左右一対の案内部１０２ｄとを有する。
【００５６】
各取り付け突部１０２ｃには図１８に示すように遊動孔１０２ｅが形成され、その遊動孔１０２ｅに取り付け板９７に固定されたネジ等の取り付け具１０２ｆが遊嵌されている。従って、各枠側ジョイント部７５は遊動孔１０２ｅと取り付け具１０２ｆとの許容範囲内で任意の方向に遊動自在である。
【００５７】
各枠側コネクタ７４ａ〜７４ｄには取り付け板９７の裏側でハーネス７８ａ〜７８ｄが接続され、そのハーネス７８ａ〜７８ｄは例えば取り付け台９８の下周壁部５１等に形成された取り出し口５１ａを経て外部に引き出された後、電源基板６７、払い出し制御基板６９、装飾制御基板７９等に夫々接続されている。
【００５８】
なお、取り付け台９８の屈曲壁９８ｂは覆い部９０の段部９０ａに近接しており、覆い部９０の段部９０ａから後側は遊技盤６の着脱時に屈曲壁９８ｂと干渉しないように突出部８１側に傾斜している。
【００５９】
上記構成のパチンコ機において、遊技盤６を遊技盤装着枠３０に装着する場合には、図１９に二点鎖線Ａで示すように、遊技盤６の左縁部を遊技盤装着枠３０の基準位置Ｏにおいて後壁部４３ｂと前係合部４３ｃとの間に挿入した後、図１９に一点鎖線Ｂで示すように、遊技盤６の反対側を遊技盤装着枠３０内に押し込み、ロック手段４５ａ，４５ｂにより遊技盤装着枠３０内で遊技盤６を固定する。
【００６０】
遊技盤６の基準位置Ｏと反対側を遊技盤装着枠３０内に押し込んで行くと、その最終段階で図１９に実線Ｃで示すように、盤側ジョイント部７３の盤側コネクタ７２ａ〜７２ｄが枠側ジョイント部７５の枠側コネクタ７４ａ〜７４ｄの前面側に対応した後、両案内部８５ｃ，１０２ｄの相対的な案内作用により、盤側コネクタ７２ａ〜７２ｄの嵌合凹部８５ａと枠側コネクタ７４ａ〜７４ｄの嵌合突部１０２ａとが嵌合し、両コネクタ７２ａ〜７２ｄ，７４ａ〜７４ｄが前枠３側と遊技盤６側との電気系統を一括して接続することができる。
【００６１】
遊技盤６は前係合部４３ｃと係合する支点位置Ｐを中心として反時計方向に回動し、その回動により盤側コネクタ７２ａ〜７２ｄと枠側コネクタ７４ａ〜７４ｄとが互いに嵌合して接続するが、そのとき盤側コネクタ７２ａ〜７２ｄと枠側コネクタ７４ａ〜７４ｄは支点位置Ｐを中心とする円の略接線方向に嵌合する。
【００６２】
従って、盤側コネクタ７２ａ〜７２ｄと枠側コネクタ７４ａ〜７４ｄとの間に多少の位置ずれがあっても、案内部８５ｃ，１０２ｄの案内作用により、盤側コネクタ７２ａ〜７２ｄと枠側コネクタ７４ａ〜７４ｄとを無理なく嵌合させることができる。また枠側コネクタ７４ａ〜７４ｄの少ない遊動量で両コネクタ７２ａ〜７２ｄ，７４ａ〜７４ｄを接続することができる。
【００６３】
また枠側コネクタ７４ａ〜７４ｄの遊動量を少なく抑えて枠側ジョイント部７５の複数の枠側コネクタ７４ａ〜７４ｄ相互の位置ずれも小さくできることから、遊技盤６を遊技盤装着枠３０内に押し込んだときに、各案内部８５ｃ，１０２ｄで相互に案内可能な範囲内で複数の盤側コネクタ７２ａ〜７２ｄと枠側コネクタ７４ａ〜７４ｄとを対向させることが可能となり、盤側コネクタ７２ａ〜７２ｄと枠側コネクタ７４ａ〜７４ｄとの一部の位置が合わないために接続できず、遊技盤６を遊技盤装着枠３０に対して出し入れしながら接続作業を複数回繰り返すようなこともない。
【００６４】
盤側コネクタ７２ａ〜７２ｄと枠側コネクタ７４ａ〜７４ｄとを着脱する場合、両者が接線方向に着脱するように構成することが望ましいが、遊技盤６の左右幅に比較して中継基板８３ａ〜８３ｃからの盤側コネクタ７２ａ〜７２ｄの突出量が僅かであることから、その中継基板８３ａ〜８３ｃを支点位置Ｐを通る直線上又は支点位置Ｐを通る直線に近接して略平行に配置して、この中継基板８３ａ〜８３ｃに略平行に盤側コネクタ７２ａ〜７２ｄを装着し、盤側コネクタ７２ａ〜７２ｄと枠側コネクタ７４ａ〜７４ｄとが略接線方向に着脱するようにしているので、設計等を容易にできる利点がある。
【００６５】
枠側ジョイント部７５の取り付け板９７には、接続時に底部が中継基板８３ａ〜８３ｃと略平行に傾斜する傾斜凹部１０１が凹入状に形成され、この傾斜凹部１０１の内の前面にはその開口１０１ａに一部が嵌合するように枠側コネクタ７４ａ〜７４ｄが取り付けられているので、枠側ジョイント部７５の前後方向の寸法を薄くすることができる。
【００６６】
更に遊技盤６の裏側の集球ケース３５ｂに傾斜部８２を設けて、その傾斜部８２の裏側を盤側ジョイント部７３とし、この盤側ジョイント部７３に、盤側コネクタ７２ａ〜７２ｄを有する中継基板８３ａ〜８３ｃを配置しているので、集球ケース３５ｂの一部を利用して簡単な構造で盤側ジョイント部７３を設けることができる。
【００６７】
また集球ケース３５ｂの突出部８１の近傍に傾斜部８２があり、この傾斜部８２に盤側ジョイント部７３の中継基板８３ａ〜８３ｃを配置しているが、コネクタカバー８４を押え用に兼用して、このコネクタカバー８４で中継基板８３ａ〜８３ｃの突出部８１側の端部を押えて固定しているので、スペース的に非常に窮屈であるにも拘わらず、簡単な構造で中継基板８３ａ〜８３ｃを確実に固定できる利点がある。
【００６８】
その際にコネクタカバー８４と突出部８１との間に所定の間隙があり、コネクタカバー８４の突出部８１側に、その間隙の前側に対応して取り付け部９２があり、突出部８１近傍の傾斜部８２に取り付け部９２を裏側からネジ９４で固定するための固定部９３があるので、コネクタカバー８４の突出部８１との後端側の間隙からドライバー等を挿入してコネクタカバー８４を容易に固定できる。
【００６９】
また取り付け部９２をその中心がコネクタカバー８４と突出部８１との後端側の間隙を通る方向の有底筒状とし、固定部９３を取り付け部９２が裏側から着脱自在に嵌合する前後方向の突起状とすることにより、ネジ９４の締め付け前の時点でコネクタカバー８４の姿勢を安定したものにすることができる。更に嵌合筒部９２ａの前端を中継基板８３ａ〜８３ｃに当接させることにより、中継基板８３ａ〜８３ｃを突出部８１側の端部で固定できる。
【００７０】
図２０、図２１は本発明の第２の実施形態を例示し、集球ケース３５ｂの突出部８１の一側下部に、遊技盤６の裏面と略平行な段部８２ａが形成され、この段部８２ａの裏側に側壁８２ｂと複数の仕切り壁８２ｃとにより、基板取り付け部８６を有する傾斜部８２が構成されている。
【００７１】
側壁８２ｂは盤側ジョイント部７３に対して側壁８１ａと反対側に配置されており、この側壁８２ｂから側壁８１ａ側に延びる仕切り壁８２ｃが上下両端と中間に複数設けられている。仕切り壁８２ｃの後端は側壁８２ｂから側壁８１ａへと順次低くなる傾斜状である。側壁８２ｂ、仕切り壁８２ｃの内周には中継基板８３ａ〜８３ｄを受ける受け部８７が設けられており、側壁８２ｂ、仕切り壁８２ｃ、受け部８７等によって基板取り付け部８６が構成され、第１の実施形態と同様にその各基板取り付け部８６に中継基板８３ａ〜８３ｄが取り付けられている。他の構成は第１の実施形態と同様である。
【００７２】
このように盤側ジョイント部７３の前側に遊技盤６と略平行な段部８２ａを形成して、その段部８２ａの裏側に基板取り付け部８６を有する傾斜部８２を設け、その基板取り付け部８６に各中継基板８３ａ〜８３ｄを取り付けるようにしてもよい。
【００７３】
図２２は本発明の第３の実施形態を例示する。この実施形態では、コネクタカバー８４の覆い部９０は後部側が突出部８１の側壁８１ａに接近する円弧状に構成され、前端側は中継基板８３ａ〜８３ｄに略垂直に当接している。取り付け部９２は平板状であり、遊技盤６に対して略垂直方向のネジ９４により固定部９３に固定されている。他の構成は第１の実施形態と同様である。
【００７４】
このようにコネクタカバー８４は円弧状に構成してもよい。その場合、コネクタカバー８４の後端が支点位置Ｐを中心して支点位置Ｐと前端とを結ぶ半径の内に位置するように構成することが望ましい。取り付け部９２は遊技盤６に対して略垂直方向のネジ９４により固定部９３に固定する構造であれば、平板状、その他の形状、構造でもよい。
【００７５】
図２３は本発明の第４の実施形態を例示する。この実施形態では、盤側ジョイント部７３の各盤側コネクタ７２ａ〜７２ｄと枠側ジョイント部７５の各枠側コネクタ７４ａ〜７４ｄとが所定の嵌合代Ｓ１で着脱自在に嵌合する場合において、その嵌合代Ｓ１の略１／２の位置が支点位置Ｐを通る傾斜面Ｓ上に位置するように構成され、盤側コネクタ７２ａ〜７２ｄ、中継基板８３ａ〜８３ｄ、枠側コネクタ７４ａ〜７４ｄがその傾斜面Ｓに略平行に配置されている。他の構成は第１の実施形態と同様である。
【００７６】
このようにすれば、遊技盤６の遊技盤装着枠３０に対する着脱時に、盤側ジョイント部７３の各盤側コネクタ７２ａ〜７２ｄと枠側ジョイント部７５の各枠側コネクタ７４ａ〜７４ｄとを略接線方向に嵌脱することができる。
【００７７】
図２４は本発明の第５の実施形態を例示する。中継基板８３ａ〜８３ｄを基準に盤側ジョイント部７３に盤側コネクタ７２ａ〜７２ｄを配置する場合、図２４（ａ）に示すようにその直線は遊技盤６の左端後部を通る直線上に配置してもよいし、図２４（ｂ）に示すようにその直線は遊技盤６の左端前部の前方を通る直線上に配置してもよい。
【００７８】
盤側コネクタ７２ａ〜７２ｄと枠側コネクタ７４ａ〜７４ｄとを接線方向に嵌脱する場合には、第１の実施形態に例示するように支点位置Ｐを通る直線を基準に、その直線上に中継基板８３ａ〜８３ｃ等を配置するのが望ましいが、必ずしも厳密な意味で支点位置Ｐを通る直線上にそれらを配置する必要はなく、図２４（ａ）又は（ｂ）に示すように配置してもよい。
【００７９】
何故ならば、遊技盤６の左端前部の支点位置Ｐの前後近傍の所要範囲、例えば支点位置Ｐから前後両側に遊技盤６の厚さ分、又は厚さ分それよりも若干大きい程度離れた近傍領域Ｚを通る直線上に中継基板８３ａ〜８３ｃを配置しても、盤側コネクタ７２ａ〜７２ｄの前後方向の寸法に比較して遊技盤６の左右幅が非常に大きくて、支点位置Ｐから盤側コネクタ７２ａ〜７２ｄまでの距離が大であるため、図２４（ａ）又は（ｂ）のように配置することにより、遊技盤６の回動時に盤側コネクタ７２ａ〜７２ｄと枠側コネクタ７４ａ〜７４ｄとを略接線方向に嵌脱することが可能である。従って、遊技盤６の左端側の支点位置Ｐの前後両側の近傍領域Ｚを通る直線に中継基板８３ａ〜８３ｃを配置すれば十分である。またその直線上に盤側コネクタ７２ａ〜７２ｄの後端を配置する場合も同様である。
【００８０】
以上、本発明の実施形態について詳述したが、本発明はこれらの実施形態に限定されるものではなく、本発明の趣旨を逸脱しない範囲で種々の変更が可能である。例えば、実施形態では盤側コネクタ７２ａ〜７２ｄ、枠側コネクタ７４ａ〜７４ｄを左右方向に横長状に配置して上下方向に複数並設しているが、上下方向に長くなる縦長状に配置して左右方向に複数並設してもよい。盤側コネクタ７２ａ〜７２ｄ、枠側コネクタ７４ａ〜７４ｄは、盤側ジョイント部７３と枠側ジョイント部７５との夫々が１個となるようにまとめて設けてもよい。また複数の盤側コネクタ７２ａ〜７２ｄ、枠側コネクタ７４ａ〜７４ｄを配置する場合、その一部を横長状に配置し、残りを縦長状に配置してもよい。
【００８１】
枠側ジョイント部７５の枠側コネクタ７４ａ〜７４ｄを浮動状に設ける他、盤側ジョイント部７３の盤側コネクタ７２ａ〜７２ｄを浮動状に設けてもよいし、両コネクタ７２ａ〜７２ｄ，７４ａ〜７４ｄを共に浮動状に設けてもよい。また両コネクタ７２ａ〜７２ｄ，７４ａ〜７４ｄの内、その一方を上下方向に、他方を左右方向に浮動状に設けてもよい。なお、両コネクタ７２ａ〜７２ｄ，７４ａ〜７４ｄを浮動不能に固定してもよい。
【００８２】
実施形態では盤側コネクタ７２ａ〜７２ｄ、枠側コネクタ７４ａ〜７４ｄの両方に案内部８５ｃ，１０２ｄを設けているが、枠側コネクタ７４ａ〜７４ｄと盤側コネクタ７２ａ〜７２ｄとの何れか一方でもよい。また実施形態では遊技盤６の裏側の構成部材として集球ケース３５ｂを例示し、その段部９０ａの裏側に盤側ジョイント部７３を装着しているが、盤側ジョイント部７３は集球ケース３５ｂ以外の構成部材に設けてもよい。また盤側ジョイント部７３は遊技盤６の裏面に直接設けてもよい。
【００８３】
また枠側ジョイント部７５の取り付け台９８を後部ケース３１の周壁部５１，５３に一体に設け、この取り付け台９８に枠側ジョイント部７５を取り付けているが、枠側ジョイント部７５又は取り付け台９８は遊技盤装着枠３０の裏側で遊技盤６側の盤側ジョイント部７３と前後に相対向するように後部ケース３１とは別に設けてもよい。
【００８４】
実施形態では遊技盤６の一端側の下部を基準位置Ｏとして遊技盤６を遊技盤装着枠３０に対して着脱自在とし、その基準位置Ｏと反対側の他端部に盤側ジョイント部７３、枠側ジョイント部７５を下部側に配置しているが、この盤側ジョイント部７３、枠側ジョイント部７５は遊技盤装着枠３０の左右方向の中間位置に対応して配置してもよいし、上部側に対応して配置してもよい。
【００８５】
盤側コネクタ７２ａ〜７２ｄ、枠側コネクタ７４ａ〜７４ｄは支点位置Ｐを中心とする略接線方向に着脱する構成であれば十分であり、必ずしも厳密な意味での接線方向である必要はない。
【００８６】
従って、各実施形態に例示するような配置の他、例えば中継基板８３ａ〜８３ｃの前面又は裏面を支点位置Ｐを通る直線上に配置し、盤側コネクタ７２ａ〜７２ｄの後端をその中継基板８３ａ〜８３ｃに近接して略平行に配置してもよい。また盤側コネクタ７２ａ〜７２ｄの後端を支点位置Ｐを通る直線上に配置し、この盤側コネクタ７２ａ〜７２ｄの後端と略平行に中継基板８３ａ〜８３ｃを配置してもよい。更に盤側コネクタ７２ａ〜７２ｄと枠側コネクタ７４ａ〜７４ｄとの嵌合代の略半分の位置を支点位置Ｐを通る直線上に配置してもよいし、嵌合代の略半分の位置の前後両側の何れかの位置が支点位置Ｐを通る直線上に位置するように構成してもよい。
【００８７】
これは、実際の盤側コネクタ７２ａ〜７２ｄの前後方向の寸法が遊技盤６の左右幅に比較して遥かに小さいためであり、盤側コネクタ７２ａ〜７２ｄの後端から中継基板８３ａ〜８３ｃまでの間で、その何れかの部分が支点位置Ｐ又は支点位置Ｐの前後両側の近傍領域Ｚを通る直線上に位置し、他の部分がその直線に近接して略平行に配置される関係であればよい。
【００８８】
盤側コネクタ７２ａ〜７２ｄと枠側コネクタ７４ａ〜７４ｄとを接線方向に着脱するに当たっては、各実施形態ではその盤側コネクタ７２ａ〜７２ｄの後端、中継基板８３ａ〜８３ｃ等が支点位置Ｐ又は支点位置Ｐの前後両側の近傍領域Ｚを通る直線上に位置する場合について詳述したが、第４の実施形態からも判るように、枠側コネクタ７４ａ〜７４ｄ、その取り付け部である傾斜凹部１０１等、枠側ジョイント部７５の特定部分が支点位置Ｐ又はその前後の近傍領域Ｚを通る直線上に位置するようにしてもよい。
【００８９】
勿論、盤側ジョイント部７３の盤側コネクタ７２ａ〜７２ｄと枠側ジョイント部７５の枠側コネクタ７４ａ〜７４ｄとの対向端部等、盤側ジョイント部７３及び枠側ジョイント部７５の両者の特定部分が支点位置Ｐ又はその前後の近傍領域Ｚを通る直線上に位置するようにしてもよい。
【００９０】
コネクタカバー８４は、盤側コネクタ７２ａ〜７２ｄと中継基板８３ａ〜８３ｃとの間にあって、中継基板８３ａ〜８３ｃ、ハーネス７７ａ〜７７ｄを保護でき、しかも遊技盤６の着脱時に枠側ジョイント部７５側と干渉しない構造であれば、各実施形態に例示する構造以外の構造を採用してもよい。
【００９１】
遊技盤６は遊技盤装着枠３０に対して裏側から着脱自在に装着してもよい。この場合にも盤側ジョイント部７３、枠側ジョイント部７５を前後に対応して配置することにより、同様に実施可能である。
【００９２】
また各実施形態では、遊技盤６を支持部材とし、その遊技盤６の裏側に装着された集球ケース３５ｂを裏部材とし、この集球ケース３５ｂの裏面にコネクタカバー８４で中継基板８３ａ〜８３ｃを押え付けるものを例示しているが、支持部材は遊技盤６以外のものでもよいし、裏部材は集球ケース３５ｂ以外の遊技部品、例えば大入賞手段３４ｄ、センターケース３４ａの裏側部材、演出可動装置の支持部材等でもよい。
【００９３】
要するに後方に突出する突出部８１を有する裏部材に、その突出部８１に対して鋭角状に配置され且つ突出部８１に近い側にコネクタ７６ａ〜７６ｄが装着された基板８３ａ〜８３ｃと、コネクタ７６ａ〜７６ｄ及びコネクタ７６ａ〜７６ｄに接続されたハーネス７７ａ〜７７ｄを突出部８１との間で覆うコネクタカバー８４とを備え、そのコネクタカバー８４で基板８３ａ〜８３ｃを押える構造のものであれば、盤側ジョイント部７３以外のものに採用してもよい。
【００９４】
固定具はネジが一般的であるが、ネジ以外のものを使用してもよい。更に本発明は、パチンコ機に限らず、アレンジボール機、雀球遊技機等の各種の弾球遊技機においても同様に実施することが可能である。
【符号の説明】
【００９５】
３  前枠
６  支持部材
３０  遊技盤装着枠
３５ｂ  （集球ケース）裏部材
７３  盤側ジョイント部
７５  枠側ジョイント部
７６ａ〜７６ｄ  コネクタ
７７ａ〜７７ｄ  ハーネス
８１  突出部
８２  傾斜部
８３ａ〜８３ｃ  中継基板
８４  コネクタカバー
９２  取り付け部
９３  固定部
９４  固定具９４
Ｐ  支点位置
【図１】
2010268836.tif 000003
【図２】
2010268836.tif 000004
【図３】
2010268836.tif 000005
【図４】
2010268836.tif 000006
【図５】
2010268836.tif 000007
【図６】
2010268836.tif 000008
【図７】
2010268836.tif 000009
【図８】
2010268836.tif 000010
【図９】
2010268836.tif 000011
【図１０】
2010268836.tif 000012
【図１１】
2010268836.tif 000013
【図１２】
2010268836.tif 000014
【図１３】
2010268836.tif 000015
【図１４】
2010268836.tif 000016
【図１５】
2010268836.tif 000017
【図１６】
2010268836.tif 000018
【図１７】
2010268836.tif 000019
【図１８】
2010268836.tif 000020
【図１９】
2010268836.tif 000021
【図２０】
2010268836.tif 000022
【図２１】
2010268836.tif 000023
【図２２】
2010268836.tif 000024
【図２３】
2010268836.tif 000025
【図２４】
2010268836.tif 000026